(57)【要約】【課題】  自在に伸縮させることができ、携帯に便利で、かつその他付加的な価値を有する箸を提供する。【解決手段】  内部に収納空間が形成された中空の管体であって、一端にペン芯とペン先とを設けた本体と、該本体内の収納空間に設けられ、かつ該本体の他端から外部に向かって自在に伸縮するように設けられる箸部とによって構成する。【選択図】図１
0003125350.tif 000002
【実用新案登録請求の範囲】
【請求項１】
内部に収納空間が形成された中空の管体であって、一端にペン芯とペン先とを設けた本体と、該本体内の収納空間に設けられ、かつ該本体の他端から外部に向かって自在に伸縮するように設けられる箸部とを具える携帯用の箸。
【請求項２】
前記箸部の一端に、食物を挟むための挟持部を形成することを特徴とする請求項１に記載の携帯用の箸。
【請求項３】
前記挟持部が、該箸部を該本体から引き出す場合の作用点となることを特徴とする請求項２に記載の携帯用の箸。
【請求項４】
前記本体内に弾性体を設け、該箸部が該弾性体の付勢力で該本体の外部に伸出するように構成することを特徴とする請求項１に記載の携帯用の箸。
【請求項５】
前記弾性体がコイルばねであることを特徴とする請求項４に記載の携帯用の箸。
【請求項６】
前記本体と該箸体との間に係止構造を設け、該箸部が常時該本体内に収納された状態になるように構成することを特徴とする請求項４に記載の携帯用の箸。
【請求項７】
前記本体の該ペン先を設ける側の一端にキャップを着脱自在に冠着することを特徴とする請求項１に記載の携帯用の箸。
【請求項８】
前記キャップの一端にクリップ部を設け、該携帯用の箸を物品に挟み固定できるようにすることを特徴とする請求項７に記載の携帯用の箸。
【請求項９】
前記クリップ部に、爪楊枝を収納する内部収納空間を形成することを特徴とする請求項８に記載の携帯用の箸。
【請求項１０】
前記ペン先と該本体とが螺着か、嵌着か、もしくはその他方法で該ペン先を該本体に着脱自在に設けることを特徴とする請求項１に記載の携帯用の箸。
【考案の詳細な説明】
【技術分野】
【０００１】
この考案は箸に関し、特に自在に伸縮でき、携帯に便利な箸に関する。
【背景技術】
【０００２】
箸は中国を起源とし、現代に至り中国、韓国、日本、台湾、香港、ベトナム、シンガポールなどを含むアジア地域で箸を利用する人口は全世界の約３０％を占め、約１８億人にもなる。
【０００３】
食事の文化と社会の様相から言えば、現代社会において常用される箸の形態が変化してきたといえる。即ち、繁忙を極める生活のため、３食全てが外食になりがちで、たまに自宅で食事を取る場合も、テイクアウトした食物に頼り、自炊することは少なくなった。このため、当然のことながらレストランなどの業者が提供する箸を常用することになる。業者とすれば、病原菌などの経口感染を防ぐ意味からも、そのほとんどが使い捨ての箸を提供する。言いかえれば、現代では使い捨ての箸を使用する機会が極めて多くなったといえる。
【０００４】
使い捨ての箸は、そのほとんどが竹を材料とする。但し、上述するように、使い捨ての箸を使用する機会が極めて多いため大量に使用され、かつ使い捨てであるが故に箸の廃棄によって大量のごみが発生し、天然資源の浪費となるのみならず、環境保全のために費やされるコストを増加させ、社会の負担となっている。
【０００５】
また、使い捨ての箸は上述するように竹材によるものが多く、主に東南アジアの国々で生産される。その製造は、伐採した竹材を加工して箸の形状にし、硫黄で燻蒸するか、もしくはオキシドールなどに浸して漂白し、乾燥させて製品とする。この箸製品を国外に輸出する場合は、海運を利用し、箱詰めするか、バラ積みして仕向け港に運び、現地で包装して販売する。この場合、船積みの状態などは注意されることがなく、ゴキブリ、ねずみ、病原菌などが発生しやすい環境に平然と積み込まれているというのが現状であり、また、コストの節減を目的として、通常は販売先に運送するまで特に殺菌を行わない。
【０００６】
竹材による使い捨ての箸は、その９０％以上が二酸化硫黄で燻蒸して漂白している。燻蒸時間が長くなると、箸が次第に酸味を帯び、箸に残留する二酸化硫黄も多くなる。二酸化硫黄は水に触れると、その多くが硫酸根に変化し、他の物質と結合し亜硫酸塩を生成する。これは人体に悪影響を与える。
【０００７】
上述する状況などに鑑み、最近、台湾政府は個人専用の端を携帯するよう呼びかけ、キャンペーンを行っている。関連業者の統計によれば、すでに４０％を上回る顧客が個人専用の箸を持参しているとのことである。しかしながら、箸は一定の長さを具えているため、常に携帯するには不便である。このために個人専用の箸を携帯する人の比率がなかなか増加しない。
【考案の開示】
【考案が解決しようとする課題】
【０００８】
この考案は、自在に伸縮させることができ、携帯に便利な箸を提供することを課題とする。
【０００９】
また、この考案は、箸の機能に、その他付加的価値を賦与した携帯用の箸を提供することを課題とする。
【課題を解決するための手段】
【００１０】
そこで、本考案者は従来の技術における欠点に鑑み鋭意研究を重ねた結果、内部に収納空間が形成された中空の管体であって、一端にペン芯とペン先とを設けた本体と、該本体内の収納空間に設けられ、かつ該本体の他端から外部に向かって自在に伸縮するように設けられる箸部とを具える携帯用の箸によって課題を解決できる点に着眼して本考案を完成させた。
【００１１】
以下、この考案について詳述する。
請求項１に記載する携帯用の箸は、内部に収納空間が形成された中空の管体であって、一端にペン芯とペン先とを設けた本体と、
該本体内の収納空間に設けられ、かつ該本体の他端から外部に向かって自在に伸縮するように設けられる箸部とを具える。
【００１２】
請求項２に記載する携帯用の箸は請求項１における箸部の一端に、食物を挟むための挟持部を形成する。
【００１３】
請求項３に記載する携帯用の箸は、請求項２における挟持部が、該箸部を該本体から引き出す場合の作用点となる。
【００１４】
請求項４に記載する携帯用の箸は、請求項１における本体内に弾性体を設け、該箸部が該弾性体の付勢力で該本体の外部に伸出するように構成する。
【００１５】
請求項５に記載する携帯用の箸は、請求項４における弾性体がコイルばねである。
【００１６】
請求項６に記載する携帯用の箸は、請求項４における本体と該箸体との間に係止構造を設け、該箸部が常時該本体内に収納された状態になるように構成する。
【００１７】
請求項７に記載する携帯用の箸は、請求項１における本体の該ペン先を設ける側の一端にキャップを着脱自在に冠着する。
【００１８】
請求項８に記載する携帯用の箸は、請求項１におけるキャップの一端にクリップ部を設け、該携帯用の箸を物品に挟み固定できるようにする。
【００１９】
請求項９に記載する携帯用の箸は、請求項８におけるクリップ部に、爪楊枝を収納する内部収納空間を形成する。
【００２０】
請求項１０に記載する携帯用の箸は、請求項１におけるペン先と該本体とが螺着か、嵌着か、もしくはその他方法で該ペン先を該本体に着脱自在に設ける。
【考案の効果】
【００２１】
この考案による携帯用の箸は、自在に伸縮させることができ携帯に便利であるため、これを随時持参して利用することによって、業者の提供する箸、もしくは使い捨ての箸を使用することがなくなり、病原菌などの経口感染、有害物質の体内への侵入などを未然に防ぐことができるとともに、延いては使い捨ての箸を大量に廃棄することによって発生する天然資源の浪費、環境保全のためのコストの抑制を達成することができるという利点を有する。
【００２２】
また、この考案は携帯用の箸であって、さらに筆記具、爪楊枝入れなどとして利用できるため、携帯用の箸に付加的な利用価値が賦与され、さらなる利便性を具えるという利点を有する。
【考案を実施するための最良の形態】
【００２３】
この考案は、携帯用の箸を提供するものであって、内部に収納空間が形成された中空の管体であって、一端にペン芯とペン先とを設けた本体と、該本体内の収納空間に設けられ、かつ該本体の他端から外部に向かって自在に伸縮するように設けられる箸部とによって構成する。
かかる構成の携帯用の箸の構造と特徴を詳述するために、具体的な実施例を挙げ、図示を参照にして以下に説明する。
【実施例】
【００２４】
図１は、この考案による携帯用の箸を示した分解図であって、図２はその断面図である。図面によれば、この考案は中空の本体１０と、筆記部２２と、ペン芯２１と、ペン先２２と、箸部３０などとを含んでなる。
【００２５】
本体１０は、内部に収納空間が形成された中空の管体であって、一端にペン芯２１とペン先２２とを設ける。ペン芯２１はボールペン芯であるか、インクカートリッジであるか、もしくはその他筆記具の芯であって、ペン先２２に筆記の機能を与える。
【００２６】
箸部３０は柱状体とするか、もしくは管体であってもよく、その外径を本体１０の内径より狭くして、本体１０内に収納できるようにする。また、長さも本体１０内に収納する点を考慮して、好ましくは本体１０より短くする。
【００２７】
箸部３０を管体とした場合、ペン芯２１の外径は箸部３０の内径に比して狭くする。よって、箸部３０の長さがパン芯２１に影響を与えることがなくなり、本体１０の長さのみに影響を受けるようになる。
【００２８】
箸体３０の末端には挟持部３１を形成する。挟持部３０の外周には、箸で挟み易くするために特殊な紋様を施す。また、挟持部３０は、接着剤で粘着するか、緊密に嵌着させるか、もしくは螺着する。当然のことながら箸部３０と一体に成型してもよい。
【００２９】
本体１０のペン先２２側の一端には、キャップ４０を着脱自在に冠着する。キャップ４０は、通常の状態においてペン先２２を被覆して、インク、もしくはその他物質が使用者の衣服、もしくはその他物件に付着しないように保護する作用を有する。キャップ４０の一端にはクリップ部４２と天冠４１を設ける。クリップ部４２によって使用者の衣服、鞄のポケットなどに挟み固定することができる。
【００３０】
ペン芯２１、ペン先２２は、本体１０に対して着脱自在に設ける。例えば、ペン先２２のネック部外周と本体１の内壁の対応する位置とにそれぞれ螺刻して、螺着するか、ペン先２２のネック部を本体１０内に嵌着するなどの方法が挙げられる。但し、これら方法に限ることはない。
【００３１】
図３に開示する態様は、この考案による携帯用箸を携帯する状態を表す。即ち、箸として使用することなく、筆記具としても使用しない状態であって、キャップ４０は本体１０に冠着してペン先２１を被覆する。下端には挟持部３１が露出する。挟持部３１の紋様は、任意のものであってよく、特に限定しない。
【００３２】
この考案による携帯用の箸を筆記具として使用する場合は、図４に開示するように、キャップ４０を取り外し、適宜な場所に置くか、もしくは図示するように本体１０の挟持部３１側の一端に冠着する。この状態においてペン先２２が露出し、書類７１に筆記することができるようになる。
【００３３】
また、箸として使用する場合は、図５に開示するように、本体１０を軸方向に振って箸部３０を露出させ、かつ箸部３０の本体１０内に位置する一端を本体１０の端縁部に位置に移動させるか、もしくは、手で箸部３０を引き出してもよい。この場合、箸部３０の一端の挟持部３１に、指先でつまみ、引き出しやすくするための紋様を施してもよい。または、本体１０の内部に、一端が箸部３０に圧接する弾性体（コイルばね）を設け、かつ箸体３０の外周面に係止突起を形成するか、もしくはその他該弾性体の付勢力に抗することのできる係止構造を形成し、携帯時に箸体３０を本体１０内に収納して該係止構造で係止し、箸として使用する場合に該係止構造による係止を解除して該弾性体の付勢力で箸部３０を外部に露出させるようにしてもよい。然るに、箸部３０が本体１０内に収納され、かつ伸縮自在になるような構造であれば、如何なる構造であってもよく、かかる構造は当業者の熟知する従来の技術の範囲内で適宜に修正、変更できるものである。
【００３４】
上述する構造の本体１０と箸部３０とを具えるこの考案の携帯用の箸は、図６に開示するように箸部３０を露出させ、２本を手に持って挟持部３１で食物７２を挟む。挟持部３１は外周面に沿って複数の紋様を施すか、もしくは通常の箸のように尖頭状にしてもよい。
【００３５】
さらに、図７に開示するように、キャップ４０のクリップ部４２に内部収納空間を形成し、上端に出し入れ口を穿設して爪楊枝５１を収納できるようにしてもよい。この場合、爪楊枝を随時使用することができるため、便利である。
【００３６】
以上はこの考案の好ましい実施例であって、この考案の実施の範囲を限定するものではない。よって、当業者のなし得る修正、もしくは変更であって、この考案の精神に基づいてなされ、かつこの考案に対して均等の効果を有するものは、いずれもこの考案の実用新案登録請求の範囲に属するものとする。
【図面の簡単な説明】
【００３７】
【図１】この考案による携帯用の箸の構造を示した分解図である。
【図２】図１に開示する携帯用の箸の断面図である。
【図３】図１に開示する携帯用の箸の外観を示した斜視図である。
【図４】この考案による携帯用の箸を筆記具として使用する場合の態様を示した説明図である。
【図５】この考案における箸部を露出させる動作を示した説明図である。
【図６】この考案による携帯用の箸を箸として使用する場合の態様を示した説明図である。
【図７】この考案におけるクリップ部の他の実施形態を示した説明図である。
【符号の説明】
【００３８】
１０        本体
２１        ペン芯
２２        ペン先
３０        箸部
３１        挟持部
４０        キャップ
４１        天冠
４２        クリップ部
【図１】
0003125350.tif 000003
【図２】
0003125350.tif 000004
【図３】
0003125350.tif 000005
【図４】
0003125350.tif 000006
【図５】
0003125350.tif 000007
【図６】
0003125350.tif 000008
【図７】
0003125350.tif 000009